(57)【要約】【課題】メニュー変更が容易であり、ヒンジ部での接続線の断線事故を低減することである。【解決手段】本体側ケースと扉ケース２４とを開閉自在にヒンジ結合し、前記本体側ケースには表示器と複数個の固定キーとを配設すると共に前記扉ケース２４にはタッチパネル２９を配設し、前記タッチパネル２９の下面にメニューシート３０を交換自在に装着し、登録されたデータをオーダー管理手段に伝送するためのデータ伝送装置とその制御部とを備えたハンディターミナルである。【選択図】図２
2007200206.tif 000002
【特許請求の範囲】
【請求項１】
本体側ケースと扉ケースとを開閉自在にヒンジ結合し、前記本体側ケースには表示器と複数個の固定キーとを配設すると共に前記扉ケースにはタッチパネルを配設し、前記タッチパネルの下面にメニューシートを交換自在に装着し、登録されたデータをオーダー管理手段に伝送するためのデータ伝送装置とその制御部とを備えたことを特徴とするハンディターミナル。
【請求項２】
前記本体側ケースに配設された表示器は、タッチパネル付きであることを特徴とする請求項１記載のハンディターミナル。
【請求項３】
前記メニューシートに印刷されたパターン配列に対応する前記タッチパネルのパターン設定は、前記管理手段側で実行されることを特徴とする請求項１又は２記載のハンディターミナル。
【発明の詳細な説明】
【技術分野】
【０００１】
本発明は、飲食店等において使用されるキッチンオーダー処理装置を構成するハンディターミナルに係り、特に、客からの注文を受けて注文内容を厨房に伝送すると共に、会計処理に使用する登録データを作成するためのハンディターミナルに関するものである。
【背景技術】
【０００２】
従来のキッチンオーダー処理装置は、図５に示されるように構成されている。すなわち、客からのオーダーメニューを入力する複数のハンディターミナル１と、このハンディターミナル１からの無線によるデータを受け入れる無線親局２と、入力されたオーダーデータを管理するオーダー管理手段３と、オーダーデータについて会計処理を行う会計手段４とから構成され、さらに、伝票発行用プリンタ５と厨房６に配設されたキッチンプリンタ７が設けられている。前記会計手段４は、店舗出入口（会計所）８に配設されている。しかして、係員９は、客室１０内の各テーブル１１を回って携帯するハンディターミナル１を用いて各々の客１２のオーダーメニューを含むオーダーデータを順番に入力する。このときのオーダーデータには、テーブル番号、人数等が含まれている。
【０００３】
しかして、オーダーデータはオーダー管理手段３で管理されると共に、このオーダー管理手段３から伝票発行用プリンタ５とキッチンプリンタ７とに転送される。厨房６では、キッチンプリンタ７から発行されたオーダー伝票に基づき調理を開始する。伝票発行用プリンタ５から発行されたカスタマー伝票は、当該係員９によって当該客１２が着席するテーブル１１に置かれる。係員９は、ときどき厨房６を覗き、自己担当の調理済みメニューがあるとこれを当該客１２へ配膳し、カスタマー伝票に手書きチェックを入れる。
【０００４】
飲食後の客１２からカスタマー伝票を受け取ったキャッシャーは、会計手段４を用いて伝票番号等を入力すると、当該オーダーデータがオーダー管理手段３からデータ通信回線１３を介して転送されてくる。そして、そのオーダーデータについて会計処理する。かくして、多数客の多数オーダーメニューについて正確に管理処理できると共に、店舗稼働率を高められる。
【０００５】
このとき、使用されるハンディターミナル１は、図６にその一例を示す。すなわち、本体側ケース１４と扉ケース１５とがヒンジ１６により開閉自在に連結されており、前記本体側ケース１４には、複数個の固定キー１７とタッチパネル付き表示部１８とが配設されており、前記扉ケース１５には、多数のマトリックスキーによる固定メニューキー１９と覗き窓２０とが設けられている。これらの固定メニューキー１９は、注文可能なメニューに対応付けられて配設されているものである。また、前記固定キー１７は、オーダーメニュー以外のデータを入力するためのもので、かつ、入力頻度の高い置数キー、伝送キー、エンターキー、選択キー、クリアキー等である。また、前記タッチパネル付き表示部１８の上部、すなわち、前記扉ケース１５を閉じた時に前記覗き窓２０が位置する部分は、メニューではない情報が表示される定位置表示部２１とされている。なお、図示しないが、データ伝送装置やその制御部等は、前記本体側ケース１４に内蔵されているものであり、前記扉ケース１５に設けられた前記固定メニューキー１９は、前記ヒンジ１６部分を介して信号線により前記データ伝送装置に接続されている。
【０００６】
【特許文献１】特開平１１−３１２０３５号公報
【発明の開示】
【発明が解決しようとする課題】
【０００７】
前述のように構成されたハンディターミナル１の場合、マトリックスキーによる固定メニューキー１７を採用しているために、メニュー変更や使用頻度に応じた配列変更等を行う場合にマトリックスキーそのものを変更する必要がある。そのため、季節や流行によりメニュー変更を行う場合に、或いは注文の多寡により、キー位置を変更したい場合、マトリックスキーの変更をその都度行うことは困難であるという問題がある。
【０００８】
また、本体側ケース１４とヒンジ１６を介して開閉自在に設けられた扉ケース１５にマトリックスキーによる固定メニューキー１７を設けているため、キーシートとデータ伝送装置との間の信号線が最低キー数の平方根分必要になり、信号線の屈曲による断線が発生しやすく、また、信号線の数が多いことによりヒンジ機構部のデザインにも制約があるという問題がある。
【課題を解決するための手段】
【０００９】
本発明は、本体側ケースと扉ケースとを開閉自在にヒンジ結合し、前記本体側ケースには表示器と複数個の固定キーとを配設すると共に前記扉ケースにはタッチパネルを配設し、前記タッチパネルの下面にメニューシートを交換自在に装着し、登録されたデータをオーダー管理手段に伝送するためのデータ伝送装置とその制御部とを備えたハンディターミナルである。
【発明の効果】
【００１０】
メニューを入力する手段としてタッチパネルを使用することにより、キーレイアウトの変更を自在にし、また、メニュー入力手段としてのタッチパネルからデータ伝送装置とその制御部への信号線の数を大幅に減らして断線等の事故の発生率を低減し、特に、メニューシートが交換自在であるため、メニュー変更に伴うタッチパネルの表示の変更をきわめて簡単に行うことができるものである。
【発明を実施するための最良の形態】
【００１１】
本発明の実施の態様を図１〜図４に基づいて説明する。全体のシステム構成は、前述の図５に示したものと同様である。まず、本実施の態様におけるハンディターミナル２２は、本体側ケース２３と扉ケース２４とを開閉自在にヒンジ２５により結合したものである。そして、前記本体ケース２３と前記扉ケース２４とを開放した状態における前記本体ケース２３の表面には、表示器２６が設けられている。この表示器２６は、タッチパネルとしての機能をも有するものであり、表示器上タッチパネル２７ともなっている。このような表示器上タッチパネル２７に構成されたキー部分として複数個の固定キー２８が設けられている。これらの固定キー２８は、オーダーメニュー以外のデータを入力するためのもので、かつ、入力頻度の高い置数キー、伝送キー、エンターキー、選択キー、クリアキー等である。そして、前記本体側ケース２３の内部には、後述するように、無線により登録データを発信し、また、外部の装置からのデータを受信するデータ伝送装置やその制御部が内蔵されている。ついで、前記扉ケース２４には、メニューキーとして作用するタッチパネル２９が設けられている。このタッチパネル２９は、抵抗膜方式、アナログ容量結合方式等によるものであり、透明度の高いものである。もちろん、タッチパネル２９として公知の超音波方式のものや、赤外線方式のものを採用することも可能である。そして、各スイッチングへ接続される接続線は、前記ヒンジ２５部分を通って前記データ伝送装置等に接続されている。しかして、このように構成されたタッチパネル２９の下部には、メニュー名等が印刷されたメニューシート３０が交換自在に取り付けられている。このメニューシート３０に印刷された画像や文字は、前記タッチパネル２９を通して外部から読み取り可能である。このようなタッチパネル２９の座標・キーコード変換テーブルは、その一例として、図４に示されているものであり、縦横に０〜１０２４の座標を有し、縦１２個、横５個のキーボタンが設定可能であり、かつ、２連キー、４連キーとしても割付が可能なものである。
【００１２】
つぎに、図３には電気的接続状態が示されている。まず、全ての制御を司るＣＰＵ３１が設けられ、このＣＰＵ３１には、バスライン３２を介してＲＯＭ３３、ＲＡＭ３４、前記表示器２６が接続された表示コントローラ３５、前記表示器上タッチパネル２７が接続されたタブレットコントローラ３６、前記メニューキー側のタッチパネル２９が接続されたタブレットコントローラ３７が接続されている。また、前記ＣＰＵ３１には、制御部３８を介してデータ伝送装置となる無線送受信部３９が接続されている。
【００１３】
このような構成において、各店舗においては、予めメニューシート３０にメニューの内容を印刷し、特定のメニューシート３０をハンディターミナル２２の扉ケース２４のタッチパネル２９の下に装着する。そして、このメニューシート３０に印刷されたパターン配列に対応するタッチパネル２９のパターン設定は、外部の管理装置に設けられたプリンタ等からの信号により行われる。この設定は、無線による信号伝送によって行われるものであるため、使用すべきハンディターミナル２２が何台あっても一挙に行うことが可能である。
【００１４】
レストラン等において、係員が客の注文をとる際に、客のオーダーにしたがってメニューキー側のタッチパネル２９を操作するが、このときには、タッチパネル２９の下に装着されたメニューシート３０の表示内容にしたがって操作する。客からのすべてのオーダーが終了すると、固定キー２８の伝送キーを押して登録内容のすべてを無線送受信部３９を介してオーダー管理手段に送信する。これにより、登録内容はキッチンプリンタにより印刷され、厨房における調理の管理に使用される。また、精算に当たっては、従来と同様に、伝票発行プリンタにより注文内容が印刷されて精算のための資料となる。
【００１５】
しかして、レストランにおいては、メニューを変更する必要性がしばしば発生する。その際には、メニューシート３０を新たに製作するが、そのメニューシート３０に対応するタッチパネル２９のパターン設定は、前述のように、管理手段側からの操作により図４に示す座標・キーコード変換テーブルに基づいて簡単に行われる。そのため、メニュー変更に伴う手数が省け、部品の交換等を行う必要もない。
【００１６】
また、扉ケース２４側に設けられたメニュー選択手段は、タッチパネル２９であるため、本体側ケース３に設けられた制御部３８との間の接続線の数が少なくてよく、ヒンジ２５部分での断線事故の発生確率が低く、また、従来のように、信号線の数が多いことによりヒンジ機構部のデザインにも制約があるという問題点を解消することができるものである。
【図面の簡単な説明】
【００１７】
【図１】本発明の実施の態様を示すもので、扉ケースを開いた状態の平面図である。
【図２】扉ケース側の構成を示す概略の断面図である。
【図３】ハンディターミナルの電気的接続図である。
【図４】タッチパネルの座標・キーコード変換テーブルである。
【図５】従来のレストランのシステム構成を示す配置図である。
【図６】従来のハンディターミナルの扉ケースを開いた状態の平面図である。
【符号の説明】
【００１８】
２４    扉ケース、２９    タッチパネル、３０    メニューシート
【図１】
2007200206.tif 000003
【図２】
2007200206.tif 000004
【図３】
2007200206.tif 000005
【図４】
2007200206.tif 000006
【図５】
2007200206.tif 000007
【図６】
2007200206.tif 000008